(57)【要約】【課題】集塵部に捕集された塵埃の除去回数を減らすとともに、塵埃を濾過する濾過手段に付着した塵埃の除去を容易に行なえることで、集塵性能が低下しにくく、かつ、使用性の高い電気掃除機を提供することを目的としている。【解決手段】吸引風を発する電動送風機２９と、被掃除面上の塵埃を吸引する吸込部３と、前記塵埃を濾過する濾過手段２７と、前記濾過手段２７にて濾過された塵埃を捕集する集塵部８と、前記濾過手段２７に付着した塵埃の除塵、前記集塵部８内に捕集された塵埃の圧縮を同時に行う除塵圧縮手段（１５、１７）とを備えたもので、集塵性能が低下しにくく、かつ、使用性の高い電気掃除機を提供できる。【選択図】  図１
2005013312.tif 000002
【特許請求の範囲】
【請求項１】
吸引風を発する電動送風機と、被掃除面上の塵埃を吸引する吸込部と、前記塵埃を濾過する濾過手段と、前記濾過手段にて濾過された塵埃を捕集する集塵部と、前記濾過手段に付着した塵埃の除塵、前記集塵部内に捕集された塵埃の圧縮を同時に行う除塵圧縮手段とを備えた電気掃除機。
【請求項２】
除塵圧縮手段は、除塵手段と圧縮手段とから構成され、前記除塵手段の移動に連動して、前記圧縮手段も移動することで、前記濾過手段に付着した塵埃の除塵、前記集塵部内に捕集された塵埃の圧縮を同時に行う請求項１記載の電気掃除機。
【請求項３】
除塵圧縮手段は、移動および回転する請求項１または２記載の電気掃除機。
【請求項４】
除塵圧縮手段の圧縮手段は、集塵部に収納された塵埃に対し離れる方向に傾斜部を有する略円錐形状である請求項１〜３のいずれか１項に記載の電気掃除機。
【請求項５】
除塵圧縮手段の圧縮手段は、集塵部に収納された塵埃に対し近づく方向に傾斜部を有する略円錐形状である請求項１〜３のいずれか１項に記載の電気掃除機。
【請求項６】
除塵圧縮手段の圧縮手段の、集塵部に収納された塵埃側に、複数個の突部を設けた請求項１〜５のいずれかに１項に記載の電気掃除機。
【請求項７】
除塵圧縮手段の圧縮手段の、集塵部に収納された塵埃側の外周略端部に、リブ状の突出部を設けた請求項１〜６のいずれか１項に記載の電気掃除機。
【請求項８】
集塵部の吸気入り口に逆止弁を設けた請求項１〜７のいずれか１項に記載の電気掃除機。
【請求項９】
除塵圧縮手段の除塵部に、ブラシを設けた請求項１〜８のいずれか１項に記載の電気掃除機。
【発明の詳細な説明】
【０００１】
【発明の属する技術分野】
本発明は、一般家庭、および、業務用で使用される電気掃除機の集塵部に関するものである。
【０００２】
【従来の技術】
従来、この種の電気掃除機は、以下に示すものが一般的であった。図７に示すが、矢印のように気流が流れており、クリーナーヘッド１０１の吸入口１０２から入って、支柱１０３、連結ホース１０４、ソケット１０５内の接線方向に連通させることによりクリーナーヘッド１０１から外サイクロン１０６へ至る流路が構成され、さらに、内サイクロン１０７、連結ホース１０８、吸入ファン装置１０９を通る流路が作られている。塵埃は内サイクロン１０７に入ってから空気と塵埃に分離され、外サイクロン１０６、及び、集塵容器１１０に溜まるようになっていた（例えば、特許文献１参照）。
【０００３】
【特許文献１】
実公平７−２２１８６号公報
【０００４】
【発明が解決しようとする課題】
このような従来の構成では、近年の塵埃は土系のものよりも、衣類から出る綿ぼこりが多く、吸い込んだ塵埃が集塵容器に堆積していくのであるが、ふんわり堆積していく。見た目はたまっているので、何度も塵埃を捨てなくてはならないという課題があった。
【０００５】
また、メッシュ部に塵埃がつくと吸わなくなるため、塵埃を捨てる際には、必ずと言っていいほど、メッシュ部に付着した塵埃の除去をしなくてはいけなかった。メッシュ部に付着した塵埃の除去をしていないと、吸引力が低下するため、集塵性能も低下する。このため、メッシュ部に付着した塵埃の除去が必要であるが、これに手間がかかり使用性を低くするという課題があった。
【０００６】
本発明は上記従来の課題を解決するもので、集塵部に捕集された塵埃の除去回数を減らすとともに、塵埃を濾過する濾過手段に付着した塵埃の除去を容易に行なえることで、集塵性能が低下しにくく、かつ、使用性の高い電気掃除機を提供することを目的としている。
【０００７】
【課題を解決するための手段】
本発明は上記目的を達成するために本発明は、吸引風を発する電動送風機と、被掃除面上の塵埃を吸引する吸込部と、前記塵埃を濾過する濾過手段と、前記濾過手段にて濾過された塵埃を捕集する集塵部と、前記濾過手段に付着した塵埃の除塵、前記集塵部内に捕集された塵埃の圧縮を同時に行う除塵圧縮手段とを備えたもので、集塵部に捕集された塵埃を圧縮するため、集塵部に捕集された塵埃の除去回数を減らすことができるとともに、塵埃を濾過する濾過手段に付着した塵埃の除去も同時に容易に行なえることで、集塵性能が低下しにくく、かつ、使用性の高い電気掃除機を提供できる。
【０００８】
【発明の実施の形態】
本発明の請求項１に記載の発明は、吸引風を発する電動送風機と、被掃除面上の塵埃を吸引する吸込部と、前記塵埃を濾過する濾過手段と、前記濾過手段にて濾過された塵埃を捕集する集塵部と、前記濾過手段に付着した塵埃の除塵、前記集塵部内に捕集された塵埃の圧縮を同時に行う除塵圧縮手段とを備えたもので、集塵部に捕集された塵埃を圧縮するため、集塵部に捕集された塵埃の除去回数を減らすことができるとともに、塵埃を濾過する濾過手段に付着した塵埃の除去も同時に容易に行なえることで、集塵性能が低下しにくく、かつ、使用性の高い電気掃除機を提供できる。
【０００９】
本発明の請求項２に記載の発明は、除塵圧縮手段は、除塵手段と圧縮手段とから構成され、前記除塵手段の移動に連動して、前記圧縮手段も移動することで、前記濾過手段に付着した塵埃の除塵、前記集塵部内に捕集された塵埃の圧縮を同時に行うもので、使用者が簡単に操作でき、集塵部に捕集された塵埃を圧縮と、塵埃を濾過する濾過手段に付着した塵埃の除去が同時に容易に行なえる。
【００１０】
本発明の請求項３に記載の発明は、除塵圧縮手段は、移動および回転するもので、集塵部や濾過手段の配設位置にかからわず、使用者が簡単に操作でき、集塵部に捕集された塵埃を圧縮と、塵埃を濾過する濾過手段に付着した塵埃の除去が同時に容易に行なえる。
【００１１】
請求項４に記載の発明は、除塵圧縮手段の圧縮手段は、集塵部に収納された塵埃に対し離れる方向に傾斜部を有する略円錐形状であるもので、集塵部の内壁と圧縮手段とで、確実に集塵部内に捕集された塵埃の圧縮を行えるものである。
【００１２】
請求項５に記載の発明は、除塵圧縮手段の圧縮手段は、集塵部に収納された塵埃に対し近づく方向に傾斜部を有する略円錐形状であるもので、集塵部内に捕集された塵埃を圧縮手段の内方へ集めることができ、確実に集塵部内に捕集された塵埃の圧縮を行えるものである。
【００１３】
請求項６に記載の発明は、除塵圧縮手段の圧縮手段の、集塵部に収納された塵埃側に、複数個の突部を設けたもので、突部が圧縮手段の表面と塵埃とのすべり防止の役割をするため、確実に集塵部内に捕集された塵埃の圧縮を行えるものである。
【００１４】
請求項７に記載の発明は、除塵圧縮手段の圧縮手段の、集塵部に収納された塵埃側の外周略端部に、リブ状の突出部を設けたもので、塵埃圧縮時に舞い上がった塵埃を、前記圧縮手段から逃げにくくするものである。
【００１５】
請求項８に記載の発明は、集塵部の吸気入り口に逆止弁を設けたもので、塵埃圧縮時の集塵部の内部の空気が、大気中に放出されるのを防止して清潔にしたことである。
【００１６】
請求項９に記載の発明は、除塵圧縮手段の除塵部に、ブラシを設けたもので、除塵効果を高めるものである。
【００１７】
【実施例】
以下、本発明の一実施例を、図１から図６を用いて説明する。
【００１８】
図１、図２に示すように、掃除機本体１は、上方に操作ハンドル２を備え、下方に被掃除面上の塵埃を吸引する吸込部３を備えている。前記操作ハンドル２には、電源スイッチ４が設けられており、また、吸込部３には、被掃除面上の塵埃を掻き上げる回転ブラシ５、床ノズルパイプ６、床ノズル連結部７が設けられている。吸引された塵埃を捕集する集塵部８と床ノズル連結部７とは通路９で連結されている。
【００１９】
集塵部８は、分離可能な上部材１０と下部材１１とから構成され、上部材１０内部にばね１２、上部材１０を貫通していて上下方向に移動可能なハンドル１３、前記ハンドル１３に保持部材１４で取り付けられた鍔１５、ハンドル１３内部には、回転可能な第二のハンドル１６、また、前記ハンドル１３の下方部の内面に除塵手段であるブラシ１７を備え、第二のハンドル１６下面にも除塵手段であるブラシ１８を備えていていて除塵機能を有している。前記鍔１５は、前記集塵部８内に捕集された塵埃を圧縮する圧縮手段である。つまり、前記ブラシ１７とブラシ１８と前記鍔１５とで、除塵圧縮手段を構成している。
【００２０】
下部材１１には、通路９と連通した連通管１９を備え、吸気入り口２０には逆支弁２１を備えている。また、下部材１１の中央には、吸気通路２２、及び、隔壁２３が突出しており、吸気通路２２上面には孔２４が開いており、吸引された塵埃を濾過する濾過手段であるメッシュ部２５が設けられている。また、隔壁２３にも側面に孔２６が開いており、これにも、吸引された塵埃を濾過する濾過手段であるメッシュ部２７が設けられている。下部材１１の下方にはメインフィルター２８が設けられている。集塵部８下方には、吸引風を発する電動送風機２９があり、保持部材Ａ３０、保持部材Ｂ３１で保持され、掃除機本体１内に取り付けている。掃除機本体１後方にあるのは、電源コード３２である。
【００２１】
上記構成において動作を説明する。
【００２２】
電源コード３２をコンセントに差込、操作ハンドル２の電源スイッチ４をＯＮして、電動送風機２９、及び、吸込部３内の小型モータ（図示せず）を動かし、被掃除面上の塵埃を吸込部３内の小型モータで回転する回転ブラシ５で掻き上げる。掻き上げられた塵埃は、電動送風機２９が発する吸引風とともに、上部材１０及び下部材１１により構成した集塵部８に、床ノズルパイプ６、床ノズル連結部７、通路９、及び、連通管１９を通過した後、捕集される。さらに気流は、隔壁２３に設けられた孔２６上のメッシュ部２７を通り、吸気通路２２の上面に設けられた孔２４上のメッシュ部２５を通り、メインフィルター２８を通って電動送風機２９に送り込まれる。集塵部８は、掃除機本体１から着脱自在であり、掃除が終わって塵埃を捨てる場合には上部材１０を下部材１１から外して塵埃を捨てる。メインフィルター２８は着脱自在であり、吸い込みが悪い場合にお手入れをするようにしている。
【００２３】
上記構成では、捕集された塵埃は集塵部８内で、初期は下部材１１の外壁に沿って回転しているが、塵埃の量が多くなると、綿ゴミ等の塵埃が塵埃どうしあたり引っかかり回転しなくなり、最終は吸気入り口２０近傍、及び、隔壁２３のメッシュ部２７に塵埃が引っかかってたまり、綿ゴミ等の塵埃がかさだけ多くて吸わなくなるという課題があるため、上部材１０を貫通する操作手段であるハンドル１３を、通常は、ばね１２で上方に押し上げておき、塵埃がたまり、吸わなくなったときに、ハンドル１３を押し下げ、鍔１５で塵埃を押しつぶし、均一にしてさらに塵埃を吸うようにしたものを、以下説明する。
【００２４】
通路９から連通管１９を通り集塵部８内に動作を、図３を用いて説明する。図３（ａ）は、塵埃を吸い込んでいる図であり、気流を矢印で示す。塵埃を伴った気流が入ってくる。その後、隔壁２３のメッシュ部２７、吸気通路２２のメッシュ部２５、メインフィルター２８を通ることで塵埃が濾過され、きれいな空気が電動送風機２９に流れ込むようになっている。
【００２５】
図３（ｂ）では、操作手段であるハンドル１３を押して、集塵部８内の塵埃を鍔１５で押しつぶして圧縮している図である。これにより、塵埃が圧縮されるため、さらに塵埃を吸うことができゴミ捨ての回数を少なくすることができる。
【００２６】
通路９から連通管１９を通り集塵部８内に動作を、図４を用いて説明する。図４（ａ）は、塵埃を吸い込んでいる図であり、気流を矢印で示す。塵埃を伴った気流が入ってくる。その後、隔壁２３のメッシュ部２７、吸気通路２２のメッシュ部２５、メインフィルター２８を通ることで塵埃が濾過され、きれいな空気が電動送風機２９に流れ込むようになっている。
【００２７】
図４（ｂ）では、操作手段であるハンドル１３を押すことにより塵埃を押しつぶすのに、鍔１５の形状を、集塵部８に収納された塵埃に対し離れる方向に傾斜部を有する略円錐形状であることで、塵埃を中央から押し略円錐面に沿って外側へ押し広げていくことにより、塵埃をさらに押しつぶしやすくしている。
【００２８】
通路９から連通管１９を通り集塵部８内に動作を、図５を用いて説明する。図５（ａ）は、塵埃を吸い込んでいる図であり、気流を矢印で示す。塵埃を伴った気流が入ってくる。その後、隔壁２３のメッシュ部２７、吸気通路２２のメッシュ部２５、メインフィルター２８を通ることで塵埃が濾過され、きれいな空気が電動送風機２９に流れ込むようになっている。
【００２９】
図５（ｂ）は、操作手段であるハンドル１３を押して塵埃を圧縮した際の気流を示しており、矢印のようになっている。まず、ハンドル１３を押すことにより、塵埃内部から気流を発生する。この気流が隔壁２３のメッシュ部２７、吸気通路２２のメッシュ部２５、メインフィルター２８を通り電動送風機２９に流れ込むのと、鍔１５と下部材１１の間を通過する経路である。電動送風機２９に流れ込むのは、通常の経路と同じであるが、鍔１５と下部材１１の間を通過した気流は鍔１５の裏面に細かい塵埃をのせるが、ハンドル１３を回転させることにより塵埃を傾斜面に沿って落下させ、鍔１５の裏面に塵埃がたまりにくくしたことである。また、鍔１５は、集塵部８に収納された塵埃に対し近づく方向に傾斜部を有する略円錐形状であるもので、集塵部８内に捕集された塵埃を鍔１５の内方へ集めることができ、確実に集塵部８内に捕集された塵埃の圧縮を行えるものである。
【００３０】
図６は、ハンドル１３に取り付けられた鍔１５の形状を、放射状に波打った形状にしたことを示している。この構成を用いて塵埃を圧縮すると、波の最下点が塵埃を押し、波の谷の方へ塵埃を押しつぶす。さらに、ハンドル１３を回転させることより塵埃の凸凹を平らにしていく。鍔１５が平らな面では、ハンドル１３を回転させても凸凹は平らにはならないが、鍔１５が波うっていることにより、塵埃を容易に圧縮することができるようにしたことである。
【００３１】
また、図１、図２に示すように、突起３３を設けることにより、圧縮時に突起３３が先に塵埃にあたり、ハンドル１３を回転させることにより塵埃の凸凹を平らにしていく。突起３３の形状は、根元が太くて先端が円弧形状になったもので、鍔１５の中心側から、外側に向けて構成されている。鍔１５に突起３３があることにより塵埃を容易に圧縮することができるようにしたことである。
【００３２】
また、鍔１５はハンドル１３に固定され、圧縮時に、衝撃が加わってもハンドル１３から鍔１５は外れないようになっている。圧縮することにより、鍔１５の裏側にも塵埃が舞い上がって付着することがあり、お手入れの時には、上部材１０にハンドル１３がとりついているため、このままではお手入れしにくいために保持部材１４を外して鍔１５をハンドル１３から取り外すことで、お手入れがしやすいようにしたことである。
【００３３】
図１、図２、及び、図３に示すように鍔１５の外周に環状のリブ３４を設けている。図３（ｂ）のように、圧縮することにより塵埃は凸凹をなくし均一になろうとするが、鍔１５と下部材１１の間から鍔１５の裏面側に塵埃が出てこようとするため、環状のリブ３４にて塵埃が鍔１５の裏面にでないようにせきとめるようにしている。また、環状のリブ３４を設けることにより、鍔１５の変形を防止し、強度、剛性をあげたものである。
【００３４】
図１、図２、及び、図３に示すように、下部材１１の吸気入り口２０に逆支弁２１を設けている。図３（ａ）のように、掃除機を運転中は、逆支弁２１は開いて塵埃が集塵部８に送り込まれるようになっているが、図３（ｂ）のように圧縮時は、逆支弁２１が閉じている状態で、本体内部に気流が戻らないようにして塵埃が逆流しないようにしている。
【００３５】
また、図１、図２、及び、図３に示すように、下部材１１より突出している吸気通路２２の上面、及び、側面のメッシュ部２５、２７に当たり塵埃を取り除くブラシ１７、１８を設けている。ハンドル１３には下方に隔壁２３のメッシュ部２７についた塵埃をかきおとすためのブラシ１８が備えられ、また、ハンドル１３の内部を第二のハンドル１６が通って、第二のハンドル１６先端には、ブラシ１７がとりつけられており、吸気通路２２のメッシュ部２５をきれいにするようになっている。
【００３６】
図３（ｂ）では、圧縮時を示しているが、隔壁２３と下部材１１との間で塵埃を圧縮するのと同時に、ブラシ１８がメッシュ部２７をこすってメッシュ部２７についた塵埃をかきおとす。また、ブラシ１７によりメッシュ部２５についた塵埃をかきおとすことができる。
【００３７】
また、隔壁２３に設けられたメッシュ部２７と吸気通路２２に設けられたメッシュ部２５では、ハンドル１３だけでは清掃範囲が違いすぎるため、第二のハンドル１６を設けて吸気通路２２に設けられたメッシュ部２５を清掃するようにしている。
【００３８】
ハンドル１３、第二のハンドル１６ともに独立して回転することができ効果的に、確実に塵埃をかきおとすことができ、気流の通路が常にきれいなため、性能が持続する掃除機を提供する。
【００３９】
また、掃除しながら吸い込みが悪くなったら、ハンドル１３、第二のハンドル１６を操作することにより、吸い込み力が回復するため、メッシュ部２５、２７のお手入れをゴミ捨てのたびにしなくてもよく、手を汚さない、使用者にとって煩わしくない電気掃除機を提供できる。
【００４０】
【発明の効果】
以上のように本発明によれば、集塵部に捕集された塵埃の除去回数を減らすとともに、塵埃を濾過する濾過手段に付着した塵埃の除去を容易に行なえることで、集塵性能が低下しにくく、かつ、使用性の高い電気掃除機を提供できる。
【図面の簡単な説明】
【図１】本発明の一実施例を示す電気掃除機の側断面図
【図２】同集塵部の側断面図
【図３】（ａ）同他の集塵部の側断面図（通常時）
（ｂ）同他の集塵部の側断面図（除塵圧縮時）
【図４】（ａ）同他の集塵部の側断面図（通常時）
（ｂ）同他の集塵部の側断面図（除塵圧縮時）
【図５】（ａ）同他の集塵部の側断面図（通常時）
（ｂ）同他の集塵部の側断面図（除塵圧縮時）
【図６】同圧縮手段の斜視図
【図７】従来の要部断面図
【符号の説明】
３  吸込部
８  集塵部
１３  ハンドル
１５  鍔（圧縮手段）
１７  ブラシ（除塵手段）
１８  ブラシ（除塵手段）
２０  吸気入り口
２１  逆支弁
２５  メッシュ部（濾過手段）
２７  メッシュ部（濾過手段）
２９  電動送風機
３３  突起
３４  環状のリブ
【図１】
2005013312.tif 000003
【図２】
2005013312.tif 000004
【図３】
2005013312.tif 000005
【図４】
2005013312.tif 000006
【図５】
2005013312.tif 000007
【図６】
2005013312.tif 000008
【図７】
2005013312.tif 000009